(57)【要約】ヘルメットは、上部外側シェルと、上部外側シェルと連結される上部エネルギー吸収材料と、を備える上部本体を備えてもよい。本ヘルメットは、下部外側シェルと、外側シェルと連結される下部エネルギー吸収材料と、を備える下部本体を備えてもよく、下部本体は、上部本体内に入れ子になっている。ストラップアンカーは、ウェブを用いずに形成されてもよく、上部本体と入れ子になった下部本体との間の上部本体又は下部本体内に埋め込まれる。ストラップは、ストラップアンカーに連結されてもよく、このストラップは、上部本体と下部本体との間に延在し、下部本体に通されて、ヘルメットを使用者の頭部と連結する。ストラップアンカーは、１０〜３０ミリメートル（ｍｍ）×１０〜５０ｍｍ×２〜１０ｍｍ以下の寸法を備えてもよい。ストラップアンカーは、上部本体と下部本体との間に挟まれ、視界からヘルメット内に隠されてもよい。
2017507255.tif 000002
【特許請求の範囲】
【請求項１】
ヘルメットであって、
上部外側シェルと、前記上部外側シェルと連結される上部エネルギー吸収材料と、を備える、上部本体と、
下部外側シェルと、前記外側シェルと連結される下部エネルギー吸収材料と、を備える、下部本体であって、前記上部本体内に入れ子になっている、下部本体と、
ウェブを用いずに形成され、前記上部本体と前記入れ子になった下部本体との間の前記上部本体又は前記下部本体内に埋め込まれるストラップアンカーと、
前記ストラップアンカーに連結されるストラップであって、前記上部本体と前記下部本体との間に延在し、前記下部本体に通されて、前記ヘルメットを使用者の頭部に連結する、ストラップと、を備える、ヘルメット。
【請求項２】
前記ストラップアンカーが、１０〜３０ミリメートル（ｍｍ）×１０〜５０ｍｍ×２〜１０ｍｍ以下の寸法を備える、請求項１に記載のヘルメット。
【請求項３】
前記ストラップアンカーが、ストラップアンカー開口部が前記上部本体の内面と実質的に共平面であり、前記上部本体の下縁からずらされるように前記上部本体内に配設される、請求項２に記載のヘルメット。
【請求項４】
前記上部エネルギー吸収材料が、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含み、
前記下部エネルギー吸収材料が、ＥＰＰ、ＥＰＳ、ＥＰＵ、又はＥＰＯを含む、請求項１に記載のヘルメット。
【請求項５】
前記上部エネルギー吸収材料が、７０〜１００ｇ／Ｌの範囲の密度を備え、
前記下部エネルギー吸収材料が、５０〜８０ｇ／Ｌの範囲の密度を備える、請求項４に記載のヘルメット。
【請求項６】
前記ストラップアンカーが、前記上部本体と前記下部本体との間に挟まれ、視界から前記ヘルメット内に隠される、請求項１に記載のヘルメット。
【請求項７】
前記ストラップアンカーが、前記ヘルメットを前記使用者の前記頭部に連結するために使用される前記ストラップの捻れを低減するために前記ヘルメット内に位置付けられる、請求項１に記載のヘルメット。
【請求項８】
ヘルメットであって、
上部外側シェルと、前記上部外側シェルと連結される上部エネルギー吸収材料と、を備える、上部本体と、
下部外側シェルと、前記外側シェルと連結される下部エネルギー吸収材料と、を備える、下部本体であって、前記上部本体内に入れ子になっている、下部本体と、
前記上部本体又は前記下部本体内に埋め込まれ、前記上部本体と前記入れ子になった下部本体との間に配設されるストラップアンカーと、
前記ストラップアンカーに連結されるストラップであって、前記上部本体と前記下部本体との間に延在し、前記下部本体に通されて、前記ヘルメットを使用者の頭部に連結する、ストラップと、を備える、ヘルメット。
【請求項９】
前記ストラップアンカーが、１０〜３０ミリメートル（ｍｍ）×１０〜５０ｍｍ×２〜１０ｍｍ以下の寸法を備える、請求項８に記載のヘルメット。
【請求項１０】
前記ストラップアンカーが、ウェブを用いずに形成される、請求項９に記載のヘルメット。
【請求項１１】
前記ストラップアンカーが、ストラップアンカー開口部が前記上部本体の内面と実質的に共平面であり、前記上部本体の下縁からずらされるように前記上部本体内に配設される、請求項９に記載のヘルメット。
【請求項１２】
前記上部エネルギー吸収材料が、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含み、
前記下部エネルギー吸収材料が、ＥＰＰ、ＥＰＳ、ＥＰＵ、又はＥＰＯを含む、請求項８に記載のヘルメット。
【請求項１３】
前記ストラップアンカーが、前記上部本体と前記下部本体との間に挟まれ、視界から前記ヘルメット内に隠される、請求項８に記載のヘルメット。
【請求項１４】
ヘルメットであって、
上部エネルギー吸収材料を備える上部本体と、
下部エネルギー吸収材料を備える下部本体と、
前記上部本体と前記下部本体との間に配設されるストラップアンカーと、
前記ストラップアンカーに連結されるストラップであって、前記ヘルメットを使用者の頭部に連結するために前記上部本体と前記下部本体との間に延在する、ストラップと、を備える、ヘルメット。
【請求項１５】
前記ストラップアンカーが、１０〜３０ミリメートル（ｍｍ）×１０〜５０ｍｍ×２〜１０ｍｍ以下の寸法を備える、請求項１４に記載のヘルメット。
【請求項１６】
前記ストラップアンカーが、ウェブを用いずに形成される、請求項１５に記載のヘルメット。
【請求項１７】
前記ストラップアンカーが、ストラップアンカー開口部が前記上部本体の内面と実質的に共平面であり、前記上部本体の下縁からずらされるように前記上部本体内に配設される、請求項１５に記載のヘルメット。
【請求項１８】
前記上部エネルギー吸収材料が、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含み、
前記下部エネルギー吸収材料が、ＥＰＰ、ＥＰＳ、ＥＰＵ、又はＥＰＯを含む、請求項１に記載のヘルメット。
【請求項１９】
前記上部エネルギー吸収材料が、７０〜１００ｇ／Ｌの範囲の密度を備え、
前記下部エネルギー吸収材料が、５０〜８０ｇ／Ｌの範囲の密度を備える、請求項１８に記載のヘルメット。
【請求項２０】
前記ストラップアンカーが、前記上部本体と前記下部本体との間に挟まれ、視界から前記ヘルメット内に隠される、請求項１４に記載のヘルメット。
【発明の詳細な説明】
【技術分野】
【０００１】
本開示は、マルチボディヘルメット構築を備えるヘルメット、並びにマルチボディヘルメットと使用可能なストラップ取着デバイス及び方法に関する。マルチボディヘルメットは、従来のヘルメットが使用されるあらゆる場所で、本明細書に記載される追加の利益を伴って用いられ得る。
【背景技術】
【０００２】
保護用ヘッドギア及びヘルメットは、使用者の頭部及び脳への損傷を防ぐために、幅広い用途において、かつスポーツ、運動競技、建築、鉱業、軍事防衛、及びその他を含むいくつかの産業にわたって使用されている。使用者への損傷及び傷害は、硬い物体又は鋭い物体が使用者の頭部に直接接触することを防ぐヘルメットによって防がれるか、又は低減され得る。使用者への損傷及び傷害は、衝撃のエネルギーを吸収するか、分散するか、又はさもなければ管理するヘルメットによっても防がれるか、又は低減され得る。
【０００３】
スポーツ等の多くの用途においてヘルメットを着用した運動選手にとって、保護用ヘルメットの安全面に加え、更に考慮すべき事項として、ヘルメットのフィット及びヘルメットの通気が挙げられる。フィット快適性及び通気の改善により、運動選手の気が散りにくくなり、それによりパフォーマンスが向上する。本書で開示されるマルチボディヘルメット構築及びストラップ取着デバイスは、安全性、並びに顧客の安全性を低下させないフィット、通気、及び快適性の改善に関連する。
【０００４】
使用者の頭部とヘルメットとの間の適切なフィットを提供する一態様は、ヘルメットを使用者の頭部に連結するために使用されるストラップを含んでもよい。図１は、ストラップをインモールド成形ヘルメットに連結するために、スキー用ヘルメット又は他の雪用ヘルメットを含むインモールド成形ヘルメットに従来使用されているストラップアンカー又はスキータイプのストラップアンカー１０を示す。ストラップアンカー１０は、２つの基礎部分、ｉ）開口部１２を有し得るストラップアンカー本体１４、及びｉｉ）ストラップアンカー１０をヘルメット若しくはヘルメット本体に連結するウェブ、補強取着具、フィン、パラシュート、アンカー形状、又は補強取着点１６を備えてもよい。
【０００５】
ストラップアンカー１０の開口部１２は、ストラップをストラップアンカー１０に連結するように開口部に挿入され得るストラップを受容することができる。その後、ストラップは、スキー用ヘルメットを使用者の頭部に連結することができる。ストラップアンカー１０がヘルメットに連結される場合、ストラップアンカー１０のウェブ１６は、発泡ポリスチレン（ＥＰＳ）発泡体又は他の好適な材料の層等のヘルメットのエネルギー吸収材料又は層内に配設されてもよい。ウェブ１６は、十分に大きく、ウェブ１６をエネルギー吸収材料内に固着することによってストラップアンカー１０をヘルメットに固定し、衝撃中に堅く連結された状態を維持するのに十分なアンカー形状を含み得る。スキーアンカー１０がヘルメット本体に連結される場合、ウェブ１６はヘルメット本体内に埋め込まれてもよい。
【０００６】
ヘルメットのストラップ又はウェビングは、ストラップの末端にループを形成し、かつストラップのループを通してピンを挿入することによって、ストラップアンカー１０に連結されてもよい。次いで、ストラップのピン及びループは、開口部１２を通過し、ストラップアンカー本体１４内に配設されてもよい。ストラップがストラップアンカー１０に連結される場合、ストラップアンカー本体１４は、開口部１２へのアクセスを可能にするようにヘルメットの縁に従来通りに配設される。したがって、ストラップアンカー１０の少なくとも一部分、具体的には、ストラップアンカー本体１４の少なくとも一部分が、ヘルメットの使用者及びヘルメットを着用している使用者を観察している他者に見えたままである。
【発明の概要】
【課題を解決するための手段】
【０００７】
ヘルメットストラップ取着及びそれを提供するための方法が必要とされている。したがって、一態様では、ヘルメットは、上部外側シェルと、上部外側シェルと連結される上部エネルギー吸収材料と、を備える上部本体を備えてもよい。本ヘルメットは、下部外側シェルと、外側シェルと連結される下部エネルギー吸収材料と、を備える下部本体を備えてもよく、下部本体は、上部本体内に入れ子になる。ヘルメットは、ウェブを用いずに形成され、上部本体と入れ子になった下部本体との間の上部本体又は下部本体内に埋め込まれるストラップアンカーを備えてもよい。ヘルメットは、ストラップアンカーに連結されるストラップも備えてもよく、ストラップは、上部本体と下部本体との間に延在し、下部本体に通されて、ヘルメットを使用者の頭部と連結する。
【０００８】
ヘルメットは、１０〜３０ミリメートル（ｍｍ）×１０〜５０ｍｍ×２〜１０ｍｍ以下の寸法を備えるストラップアンカーを更に備えてもよい。ストラップアンカーはまた、ストラップアンカー開口部が上部本体の内面と実質的に共平面であり、上部本体の下縁からずらされるように、上部本体内に配設されてもよい。上部エネルギー吸収材料は、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含んでもよく、下部エネルギー吸収材料は、ＥＰＰ、ＥＰＳ、ＥＰＵ、又はＥＰＯを含んでもよい。上部エネルギー吸収材料は、７０〜１００ｇ／Ｌの範囲の密度を備えてもよく、下部エネルギー吸収材料は、５０〜８０ｇ／Ｌの範囲の密度を備えてもよい。ストラップアンカーは、上部本体と下部本体との間に挟まれ、視界からヘルメット内に隠されてもよい。ストラップアンカーはまた、ヘルメットを使用者の頭部に連結するために使用されるストラップの捻れを低減するためにヘルメット内に位置付けられてもよい。
【０００９】
別の態様では、ヘルメットは、上部外側シェルと、上部外側シェルと連結される上部エネルギー吸収材料と、を備える上部本体を備えてもよい。本ヘルメットは、下部外側シェルと、外側シェルと連結される下部エネルギー吸収材料と、を備える下部本体を備えてもよく、下部本体は、上部本体内に入れ子になる。ヘルメットは、上部本体又は下部本体内に埋め込まれ、上部本体と入れ子になった下部本体との間に配設されるストラップアンカーを備えてもよい。ヘルメットは、ストラップアンカーに連結されるストラップも備えてもよく、ストラップは、上部本体と下部本体との間に延在し、下部本体に通されて、ヘルメットを使用者の頭部と連結する。
【００１０】
ヘルメットは、１０〜３０ｍｍ×１０〜５０ｍｍ×２〜１０ｍｍ以下の寸法を備えるストラップアンカーを更に備えてもよい。ストラップアンカーはまた、ウェブを用いずに形成されてもよい。ストラップアンカーはまた、ストラップアンカー開口部が上部本体の内面と実質的に共平面であり、上部本体の下縁からずらされるように上部本体内に配設されてもよい。上部エネルギー吸収材料は、ＥＰＰ、ＥＰＳ、ＥＰＵ、又はＥＰＯを含んでもよく、下部エネルギー吸収材料は、ＥＰＰ、ＥＰＳ、ＥＰＵ、又はＥＰＯを含んでもよい。ストラップアンカーはまた、上部本体と下部本体との間に挟まれ、視界からヘルメット内に隠されてもよい。
【００１１】
別の態様では、ヘルメットは、上部エネルギー吸収材料を備える上部本体、下部エネルギー吸収材料を備える下部本体、上部本体と下部本体との間に配設されるストラップアンカー、及びストラップアンカーに連結されるストラップを更に備えてもよく、ストラップは、ヘルメットを使用者の頭部に連結するために上部本体と下部本体との間に延在する。
【００１２】
ヘルメットは、１０〜３０ｍｍ×１０〜５０ｍｍ×２〜１０ｍｍ以下の寸法を備えるストラップアンカーを更に備えてもよい。ストラップアンカーは、ウェブを用いずに形成されてもよい。ストラップアンカーは、ストラップアンカー開口部が上部本体の内面と実質的に共平面であり、上部本体の下縁からずらされるように上部本体内に配設されてもよい。上部エネルギー吸収材料は、発泡ＥＰＰ、ＥＰＳ、ＥＰＵ、又はＥＰＯを含んでもよく、下部エネルギー吸収材料は、ＥＰＰ、ＥＰＳ、ＥＰＵ、又はＥＰＯを含んでもよい。上部エネルギー吸収材料は、７０〜１００ｇ／Ｌの範囲の密度を備えてもよく、下部エネルギー吸収材料は、５０〜８０ｇ／Ｌの範囲の密度を備えてもよい。ストラップアンカーは、上部本体と下部本体との間に挟まれ、視界からヘルメット内に隠されてもよい。
【図面の簡単な説明】
【００１３】
【図１】先行技術において既知のスキータイプのアンカーデバイスの図を示す。
【図２Ａ】マルチボディヘルメットの一実施形態の側面図を示す。
【図２Ｂ】マルチボディヘルメットの一実施形態の側面図を示す。
【図３】マルチボディヘルメットの上部本体の斜視図を示す。
【図４Ａ】アンカーハウジング、アンカーハウジング用のカバー、ストラップ、及びストラップロッドの様々な図を示す。
【図４Ｂ】アンカーハウジング、アンカーハウジング用のカバー、ストラップ、及びストラップロッドの様々な図を示す。
【図４Ｃ】アンカーハウジング、アンカーハウジング用のカバー、ストラップ、及びストラップロッドの様々な図を示す。
【図４Ｄ】アンカーハウジング、アンカーハウジング用のカバー、ストラップ、及びストラップロッドの様々な図を示す。
【図４Ｅ】アンカーハウジング、アンカーハウジング用のカバー、ストラップ、及びストラップロッドの様々な図を示す。
【図５】アンカーハウジング内に配設されるロッド及びウェビングを有するアンカーハウジングの断面側面図を示す。
【図６】マルチボディヘルメット内に配設されるアンカーハウジングの断面側面図を示す。
【図７】マルチボディヘルメットの上部本体に嵌合されている下部本体の分解斜視図を示す。
【図８Ａ】使用者によって着用されているマルチボディヘルメットの図を示す。
【図８Ｂ】使用者によって着用されているマルチボディヘルメットの図を示す。
【発明を実施するための形態】
【００１４】
本開示、その態様、及び実施態様は、本明細書に開示される特定のヘルメット若しくは材料種類、又はシステム構成要素例、又は方法に限定されない。ヘルメット製造にふさわしい当該技術分野において既知の多くの追加の構成要素、製造、及び組み立て手順は、本開示の特定の実施態様と共に使用することが想到される。したがって、例えば、特定の実施態様が開示されるが、そのような実施態様及び実施構成要素は、意図される動作にふさわしい、そのようなシステム及び実施構成要素のための、当該技術分野において既知の任意の構成要素、モデル、種類、材料、バージョン、数量などを含み得る。
【００１５】
単語「代表的な」、「実施例」、又はこれらの様々な形態は、実施例、例、又は実例として機能することを意味している。本明細書において「代表的」又は「実施例」として記載される任意の態様又は設計は、必ずしも他の態様又は設計よりも好ましいか、又は有利であるものと解釈されない。更に、実施例は、明瞭性及び理解の目的のためのみに提示されており、決して開示される主題又は本開示の関連部分を制限又は制約することを意図するものではない。範囲の異なる多数の追加の又は代替的な実施例を提示することもできるが、簡潔さのために省略されていることが理解される。
【００１６】
本開示がいくつかの実施形態を多くの異なる形態で含むが、特定の実施形態が図面に示され、かつ本明細書に詳細に記載されており、本開示が、開示される方法及びシステムの原理の具体例として見なされるべきであり、それが本開示の概念の広範な態様を例証される実施形態に限定するようには意図されていないと理解される。
【００１７】
本開示は、外側シェル及び発泡体等の内側エネルギー吸収層を含み得る保護用ヘルメットを提供するためのデバイス、装置、システム、及び方法を提供する。保護用ヘルメットは、マウンテンバイクに乗るために、又は道路のサイクリングのために使用されるバイク用ヘルメットであってもよく、同様にスキー選手、スケート選手、ホッケー選手、スノーボード選手、又は他の雪上若しくは水中運動選手、フットボール選手、野球選手、ラクロス選手、ポロ選手、登山者、オートレーサー、オートバイ運転手、モトクロスレーサー、スカイダイバー、又は任意の他のスポーツ運動選手に使用され得るものである。建設作業員、兵士、消防士、パイロット等の他の産業で雇用され、そこで働く個人、又は業務及び活動の種類が、同様の技術及び方法が適用され得る安全ヘルメットも使用し得るか、又は必要とし得るように、他の産業も保護用帽子を使用する。上に列記されたスポーツ、職業、又は活動の各々は、常にではないが典型的には装飾的なカバーにより外側を被覆された単一又は複数の衝撃評価保護材料ベース（ｉｍｐａｃｔ  ｒａｔｅｄ  ｐｒｏｔｅｃｔｉｖｅ  ｍａｔｅｒｉａｌ  ｂａｓｅ）のいずれかを含み、かつ内側の少なくとも一部に通常快適性詰め物の形態で快適性材料を含むヘルメットを使用する。
【００１８】
一般に、上に列記される保護用ヘルメット等の保護用ヘルメットは、外側シェル及び内側エネルギー吸収材料を含み得る。便宜上、保護用ヘルメットは、概して、インモールド成形ヘルメット又は硬質シェルヘルメットのいずれかに分類され得る。インモールド成形ヘルメットは、１つの層、又は薄い外側シェル、エネルギー吸収層若しくは衝撃ライナ、及び快適性ライナ若しくはフィットライナを含む２つ以上の層を備えてもよい。硬質シェルヘルメットは、硬質外側シェル、衝撃ライナ、及び快適性ライナを備えてもよい。硬質外側シェルは、射出成形によって形成されてもよく、アクリロニトリル−ブタジエン−スチレン（ＡＢＳ）プラスチック又は他の同様の若しくは好適な材料を含み得る。硬質シェルヘルメット用の外側シェルは、典型的には、衝撃及び穿刺に抵抗するのに、かつ関連する安全試験基準を満たすのに十分に硬質にされると同時に、変形によるエネルギーを吸収するように衝撃中にわずかに変形するのに十分に可撓性であり、それによりエネルギー管理に寄与する。硬質シェルヘルメットは、スケート用バケット型ヘルメット、オートバイ用ヘルメット、雪上及び水中スポーツ用ヘルメット、フットボール用ヘルメット、バッティング用ヘルメット、キャッチャー用ヘルメット、ホッケー用ヘルメットとして使用されてもよく、ＢＭＸ走行及びレース用に使用されてもよい。本開示で提示される様々な態様及び実施態様は、インモールド成形ヘルメットを備える実施形態に着目するが、本開示は、硬質シェルヘルメットにも関し、硬質シェルヘルメットにも適用される。
【００１９】
図２Ａ及び２Ｂは、通気孔又は開口部３１並びに上部本体４０及び下部本体５０を備えるマルチボディヘルメット３０の非限定的な例の側面図を示す。便宜上、マルチボディヘルメット３０は、本明細書全体を通して、二体ヘルメット又は二分化ヘルメットと称され、上部本体４０及び下部本体５０又は第１及び第２の本体若しくは部分を備える。しかしながら、本開示は、３つ、４つ、又は任意の好適な数の本体等の３つ以上の本体を備えるマルチボディヘルメットを包含する。上部本体４０及び下部本体５０が接合されて、図２Ａに示されるように単一のマルチボディヘルメット３０を形成することができ、概して上述される従来の単一本体のヘルメットとは一線を画す。図２Ｂは、上部本体４０及び下部本体５０が互いに接触かつ隣接して設置される前等に、ある間隙又は間隔で垂直に分離され、同時に互いに対して整列するマルチボディヘルメット３０の上部本体４０及び下部本体５０を示す。
【００２０】
上部本体４０は、外側シェル４２及びエネルギー吸収層又は衝撃ライナ４４を備えてもよいが、上部本体４０はこれらの両方を有する必要はない。例えば、いくつかの実施形態では、上部本体４０は、外側シェル４２なしでエネルギー吸収層４４を備えてもよい。通気孔又は開口部４１は、通気孔３１の少なくとも一部を形成するか、備えるか、又はそれと整列する上部本体４０に形成されてもよい。同様に、下部本体５０は、外側シェル５２及びエネルギー吸収層又は衝撃ライナ５４を備えてもよいが、下部本体５０はこれらの両方を有する必要はない。例えば、いくつかの実施形態では、下部本体５０は、外側シェル５２なしでエネルギー吸収層５４を備えてもよい。通気孔又は開口部５１は、通気孔３１、通気孔４１、若しくはそれらの両方の少なくとも一部を形成するか、備えるか、又はそれと整列する下部本体５０に形成されてもよい。
【００２１】
外側シェル４２及び５２は各々、限定することなく、ポリカーボネート（ＰＣ）、ポリエチレンテレフタラート（ＰＥＴ）、アクリロニトリルブタジエンスチレン（ＡＢＳ）、ポリエチレン（ＰＥ）、ポリ塩化ビニル（ＰＶＣ）、ビニルニトリル（ＶＮ）、繊維ガラス、炭素繊維、若しくは他の類似材料を含む、プラスチック、樹脂、繊維、又は他の好適な材料から形成されてもよい。
【００２２】
外側シェル４２及び５２は、型打ちされるか、インモールド成形されるか、射出成形されるか、真空形成されるか、又は別の好適なプロセスによって形成され得る。外側シェル４２及び５２は、それぞれ、エネルギー吸収層４４及び５４が中にインモールド成形され得るシェルを提供することができる。外側シェル４２及び５２は、性能の改善、美観の改善、又はそれらの両方のために、滑らかな空気力学的仕上げ、装飾仕上げ、又はそれらの両方を提供することもできる。非限定的な例として、外側シェル４２及び５２は、真空形成シートの形態でインモールド成形されるか、又はそれぞれ、エネルギー吸収層４４及び５４に接着剤で取着されるＰＣシェルを備えてもよい。外殻４２及び５２は、接着剤、永久接着剤、感圧接着剤（ＰＳＡ）、発泡体−コア接着剤、テープ、両面テープ、取り付け用発泡接着剤、ファスナー、クリップ、クリート、カットアウト、タブ、スナップ、リベット、ホッグリング、若しくは面ファスナーを含むが、これらに限定されない任意の好適な化学的若しくは機械的締結具又は取着デバイス又は物質を使用して、それぞれ、エネルギー吸収層４４及び５４に永久に又は取り外し可能に連結されてもよい。
【００２３】
エネルギー吸収層４４及び５４は各々、内部に配設されてもよく、それぞれ、外側シェル４２及び５２に隣接する。エネルギー吸収層４４及び５４は、プラスチック、ポリマー、発泡体、又はエネルギーを吸収するか、屈折するか、又はさもなければ管理し、衝撃中に着用者を保護するためのエネルギー管理に寄与する他の好適なエネルギー吸収材料若しくは衝撃ライナで作製されてもよい。エネルギー吸収層４４及び５４は、ＥＰＰ、ＥＰＳ、ＥＰＵ、ＥＰＯ、又は他の好適な材料を含み得るが、これらに限定されない。上で示されるように、インモールド成形ヘルメットは、発泡体を外側シェルの中で発泡させることによってエネルギー吸収層に直接固着されているヘルメットの外側シェルを用いて形成され得る。したがって、エネルギー吸収層４４及び５４は、いくつかの実施形態では、エネルギー吸収材料の単一のモノリス本体として、それぞれ、外側シェル４２及び５２の中にインモールド成形され得る。あるいは、他の実施形態では、エネルギー吸収層４４及び５４は、多重部分又は複数の部分から形成され得る。任意の事象では、エネルギー吸収層４４及び５４は、曲げ、屈曲、粉砕、又は亀裂による衝撃からのエネルギーを吸収することができる。
【００２４】
上部本体４０及び下部本体５０等の複数の本体又は部分を有するマルチボディヘルメット３０を形成することによって、マルチボディヘルメット３０は、有利かつ容易に複数の密度設計を提供することができる。例えば、上部本体４０及び下部本体５０は、異なる密度及びエネルギー管理特性のエネルギー吸収材料で形成されてもよく、エネルギー吸収材料４４は、第１の密度を備えてもよく、エネルギー吸収材料５４は、第１の密度とは異なる第２の密度を備えてもよい。第１の密度は、第１の密度よりも大きくても小さくてもよい。一実施形態では、エネルギー吸収材料４４は、７０〜１００ｇ／Ｌの範囲の密度を備えてもよく、エネルギー吸収材料５４は、５０〜８０ｇ／Ｌの範囲の密度を備えてもよい。更に、増加する密度、減少する密度、又は混合した密度を含む異なる密度の複数の層が組み合わせられてもよい。複数の本体又は構成要素に対して複数の密度を備える単一のマルチボディヘルメット３０を形成することによって、ヘルメット重量を含むヘルメット性能及び試験性能は、単一本体のヘルメットで可能なものよりも大きい自由度及び少ない制限で操作及び最適化され得る。
【００２５】
上部本体４０及び下部本体５０等の複数のインターロッキング本体又は部分でマルチボディヘルメット３０を形成することによって、マルチボディヘルメット３０は、従来の一体又はモノリス保護用ヘルメットに関して設計柔軟性の増大も提供し得る。設計柔軟性の増大は、単一の本体ライナでは達成するのが困難であろう形状、幾何学的形態、及び配向を備える上部本体４０及び下部本体５０を形成することによって実現され得る。単一の本体ライナの形状、幾何学的形態、及び配向を制限する制約には、発泡体又はエネルギー吸収材料を成形型の中に注入するための制約、成形された発泡体又はエネルギー吸収材料を成形型から取り外す制約、並びに単一の本体ライナをエネルギー吸収材料のブロック等の材料のテンプレート若しくは標準ブランクから機械加工するか、又は取り外す制約が挙げられる。例えば、単一のヘルメット用の複数のインターロッキング本体部品の使用は、一片成形型から取り外す若しくは引き抜くことが難しい又は不可能であろうヘルメット形状、幾何学的形態、及び配向を可能にし得る。非限定的な例として、マルチボディヘルメット３０のヘルメット形状に関して増大した設計柔軟性は、使用者の頭部の後頭部の輪郭又は後頭曲線に従う曲率又はプロファイルを備えるヘルメットを含み得る。更に、上部本体４０及び下部本体５０を含むマルチボディヘルメット３０の形成がＥＰＳプレスでエネルギー吸収材料の組み立てを簡略化することができるため、設計柔軟性の増大が実現され得る。
【００２６】
上部本体４０及び下部本体５０等の複数の本体又は部分を有するマルチボディヘルメット３０を形成することによって、マルチボディヘルメット３０は、マルチボディヘルメット３０を使用者の頭部に連結するか、又は取り外し可能に取着するために使用され得るストラップ又はウェビング７０の取着及び位置付けに関する利点も提供することができる。例えば、図２Ｂは、ストラップ７０が中に入れ子になってもよく、又は隠匿されてもよい上部本体４０と下部本体５０との間に間隔、間隙、又は空所を備えることができるマルチボディヘルメット３０を示す。図２Ｂは、外側シェル５２が、被覆されないか、又は上部本体４０の外側シェル４２に露出されたままである下部本体５０の下部部分に限定され得る非限定的な例を示す。したがって、下部本体５０の上部部分は、外側シェル５２なしで形成されてもよく、エネルギー吸収材料５４を通して形成されてもよく、ストラップ７０の一部がマルチボディヘルメット３０を使用者の頭部に固定するために上部本体４０から下部本体５０を通過することを可能にする寸法で構成され得るストラップ開口部５５を含んでもよい。下部本体５０の上部部分は、ストラップ収納部５６がストラップ開口部５５に隣接するか、又はそれを備えた状態で形成されてもよい。ストラップ収納部５６は、ストラップ７０の整列及び位置を、ストラップアンカー６０からマルチボディヘルメットの部分を通ってヘルメット使用者の頭部に通過するように方向付けることができる。ストラップ７０がマルチボディヘルメット３０内にどのように含まれ、それに連結され得るかの更なる詳細は、後続の図面に示され、それらについて論じられる。
【００２７】
マルチボディヘルメット３０は、マルチボディヘルメット３０内に隠匿されているか、又は隠されているストラップアンカー６０に関する利点も提供することができる。更に、非限定的な例として、いくつかの事例では、マルチボディヘルメット３０の更なる利点には、図１に示されるストラップアンカー１０等の従来のストラップアンカーよりも小さいストラップアンカー６０が挙げられる。より具体的には、ストラップアンカー６０は、例えば他の実施形態ではウェブが含まれ得るが、ウェブ１６を用いずに形成され得る。このため、いくつかの事例では、ストラップアンカー６０は、ウェブ１６を省くことによって寸法を縮小することができる。ストラップアンカーは、いくつかの理由により寸法が縮小されるが、十分な強度を保持することができる。第１に、上部本体４０と下部本体５０との間にストラップ７０を封入する効果は、ストラップアンカー６０自体に加えられる力を低減することができ、それにより、ウェブの必要性を低減する。次に、ストラップ７０を上部本体４０、外側シェル４２、下部本体５０、又は外側シェル２２のうちの１つ以上のスロット又は開口部を通して供給することにより、抵抗強度の大半がＰＣキャップ等の外側シェルから与えられ得る従来のアンカー１０又はストラップの骨格によって提供されるものと類似の強度を提供することができる。したがって、ストラップアンカー６０は、マルチボディヘルメット３０内に埋め込まれることによって、かつマルチボディヘルメット３０の外面又は露出面で使用者の視界から隠されることによって、従来のストラップの骨格又はストラップアンカー１０のようなストラップアンカーとは異なり得る。ストラップアンカー６０の様々な例は、図３〜６に示され、それらについて論じられる。
【００２８】
図３は、ストラップアンカーが見えており、エネルギー吸収層４４内に埋め込まれた状態で示される上部本体の斜視図を示す。このため、ストラップアンカーの相対数及び位置は異なり得るが、非限定的な例として、ヘルメット３０を使用者の頭部に取り外し可能に連結するためのストラップ締め付けシステムの一部としてストラップ７０を受容するように構成される２つの前部ストラップアンカー６０及び後部ストラップアンカー６０を含むように図３に示される。図３は、さもなければ上部本体４０によって覆い隠されるであろう前部ストラップアンカー６０のうちの１つを示し、破線で上部本体４０の内面４６に位置付けられるストラップアンカー６０の概算相対位置を示す。図３は、単一のストラップアンカー６０が使用されている実施形態を示すが、マルチボディヘルメット３０は、２つの後部ストラップアンカー６０も備えてもよく、ストラップアンカー６０の任意の望ましい数及び配向が使用されてもよい。ストラップアンカー６０は、ストラップアンカー６０が上部本体４０の内面４６上に存在し、視界から隠されるか、又は上部本体４０の外側から、視界から完全に遮られ得るように、エネルギー吸収材料４４内に配設され得る。ストラップアンカー６０の数及び位置にかかわらず、ストラップアンカー６０は、加負荷又は期待加負荷に対してプラス若しくはマイナス０〜２０度等の約９０度の相対角度で位置付けられるか、配置されるか、配向されるか、又は整列し得る。したがって、ストラップ７０は、ヘルメット３０を使用者の頭部に取り外し可能に連結することができ、同時にストラップ７０は、使用者の顔の上にフラッタを平置し、ストラップ７０の捻じれを低減又は最小化するように配向され得る。
【００２９】
図３は、ストラップアンカー６０が上部本体４０の内面４６で露出され得ることを示すが、ストラップアンカー６０は、下部本体５０が上部本体４０に連結されるか、又はその中に入れ子になる場合、マルチボディヘルメット３０内で視界から完全に隠されてもよい。図３は、ストラップアンカー６０が、ストラップ７０をストラップアンカー６０にしっかりと連結するための開口部、スロット、ノッチ、チャネル、鍵穴、又は他の好適な受容装置６２をストラップアンカー内に備えてもよいことも示す。より具体的には、ストラップアンカー６０は、上部本体４０の内面４６に、上部本体４０の内面４６と共平面に、又は上部本体４０の内面４６と実質的に共平面にストラップアンカー６０の開口部６２を有して設置されることによって、マルチボディヘルメット３０内に視界から隠されてもよい。本明細書で使用される場合、ストラップアンカー６０又はアンカー６０の開口部６２が１０ミリメートル（ｍｍ）、５ｍｍ、３ｍｍ、２ｍｍ、１ｍｍ以下、又は１ｍｍ未満の距離でずらされる場合、ストラップアンカー６０又はアンカー６０の開口部６２は上部本体４０の内面と実質的に共平面であり得る。ストラップアンカー６０の開口部６２は、ヘルメット３０を使用者の頭部に保持するためにストラップ７０が通ってストラップアンカー６０を出るアンカー６０の部分であり得る。図３に示されるように、ストラップアンカー６０は、エネルギー吸収層４４に埋め込まれてもよく、上部本体の下縁４８から離れて露出される開口部６２を有する。したがって、アンカー６０の開口部６２は、上部本体４０と下部本体５０との間に挟まれるように上部本体４０の内面４６に沿って位置付けられ得る。このため、ストラップアンカー６０はヘルメットの内面上にインモールド成形される必要はないが、従来のストラップアンカー１０はそうされなければならない。更に、ピン及びウェビングループを受容するために露出され、かつ使用者から見え、使用者によって分解されるであろう従来のストラップアンカー１０とは対照的に、ストラップアンカー６０は、使用者から隠匿されてもよく、それ故に不正開封が防止され得る。
【００３０】
図４Ａ〜４Ｅは、ストラップアンカー６０の非限定的な例の更なる詳細を示す。図４Ａは、ストラップ７０を収納し、かつそれに連結されるようにアンカー本体又はハウジング６４内に形成される開口部６２を備え得るストラップアンカー６０を示す。ストラップ７０は、ストラップ７０の末端でループ７２を通過させる等、ロッド、フック、ボタン、鍵、又はストラップ７０に連結される他の好適なデバイス７４等の締結デバイスを設置することによって、ストラップアンカー６０に連結され得る。図４Ａ〜４Ｅは、ロッド７４が、ロッド、ピン、シリンダー、又は柱として形成される非限定的な例の更なる詳細を示すが、ロッド７４、及びストラップカバー６０の開口部６２等のロッド７４の嵌合可能部分又は受容部分は、袋小路設計、又はウェビング末端がボタンのような形状をしたプラスチック部分を用い、組み立て中にボタンが繋止位置に引き込まれるように、そのボタンが、それを受容するための適切な鍵穴スロットを有する形状をしたストラップアンカーハウジング内に嵌合する鍵穴スライドロック設計を備えてもよい。
【００３１】
したがって、ロッドがロッド、ピン、シリンダー、又は柱として形成される場合、ロッド７４は、ロッド７４を受容するための開口部６２の幅Ｗ１よりも短い長さＬを備え得る。長さＬ又はロッド７４は、ロッド７４が開口部６２を通過した後にアンカー本体６４内にロッド７４を保持するための開口部６２の幅Ｗ２を超える距離を備え得る。非限定的な例として、幅Ｗ１は、開口部６２の頂部に位置付けられ得、幅Ｗ２は、開口部６２の底部に位置付けら得る。より具体的には、ロッド７４は、ロッド７４及び開口部６２が、アンカー本体６４内の繋止位置に押し込まれるロッドによって一緒に連結又は繋止され得るように、開口部６２内に嵌合されてもよい。開口部６２は、ロッド７４が好ましくないか、又は非意図的に開口部６２から出ることを阻止することができる開口部６２又はアンカーハウジング６４の内部にあるか、又はそれらと連動するタブ、ノブ、ノッチ、ゲート、ラッチ、若しくは他の締結デバイスを更に備えてもよく、それにより、ロッド７４及び開口部６２の適切な組み立て、取着、又はそれらの両方を確実にする。
【００３２】
ストラップアンカー６０内にストラップ７０のループ７２を固定するために使用されるロッド７４に加えて、ストラップアンカー６０とストラップ７０を連結するための異なる種類の載置システムも使用され得る。ロッド又は金属ピンの使用がスキー用ヘルメットを含む他のヘルメットで使用され、本明細書に開示されるマルチボディヘルメット３０内での使用に適合され得るが、当業者であれば、他のアンカーデバイスも企図されることを容易に理解するであろう。このため、ストラップ７０の末端をストラップアンカー６０に固定するための任意の方法が使用されてもよく、有利には、マルチボディヘルメット３０の複数の本体によって可能となるように、ストラップアンカー６０を消費者又は使用者から隠すことができる。ストラップアンカー６０は、インモールド成形プロセス中にエネルギー吸収層４４等のエネルギー吸収層内にインモールド成形され得るが、ストラップ７０のループ７２及びロッド７４は、下記でより詳細に記載されるように、その後、ストラップアンカー６０内に配設され得る。
【００３３】
図４Ａは、ストラップアンカー６０が開口部６２の反対側のアンカー本体６４の開放外縁６５に連結されるように寸法決め及び構成され、かつ開放外縁６５上に配設されるカバー又はストラップアンカーカバー６６を備え得る非限定的な例も示す。いくつかの実施形態では、ストラップアンカー６０は、カバー６６及びアンカー本体６４等の形成又は成形を促進するための複数の個別の、又は別個に形成される部品を備え得るが、他の実施形態では、ストラップアンカー６０は、単一の一体に形成された本体、部品、又はユニットを備えてもよい。例えば、図４Ａは、アンカー本体６４のツーリングを収納するためのオープンバックを有して形成されるストラップアンカー６０及びアンカー本体６４の別個の個別部分を示す。ストラップアンカーは、アンカー本体６４及びカバー６６を用いて等、複数の本体で形成される場合、アンカー本体６４及びカバー６６は、接着剤、永久接着剤、ＰＳＡ、発泡体−コア接着剤、テープ、両面テープ、取り付け用発泡接着剤、ファスナー、クリップ、クリート、カットアウト、タブ、スナップ、リベット、ホッグリング、又はアンカー本体６４及びカバー６６の形状に基づく摩擦によるフィットを含むが、これらに限定されない任意の好適な化学的若しくは機械的締結具又は取着デバイス若しくは物質を使用して一緒に連結され得る。いくつかの実施形態では、アンカー本体６４及びカバー６６は、図４Ｂに示されるようにアンカー本体６４及びカバー６６を一緒にスナッピングすることによって一緒に連結され得る。
【００３４】
図４Ｂは、図４Ａに示されるものと同様のストラップアンカー６０、ストラップ７０、及びロッド７４の斜視図を示す。図４Ｂは、画角が図４Ａとは異なり、ビューワーから離れて配向されるストラップアンカー６０の開口部６２を示し、アンカー本体６４上の適所にあるカバー６６を更に示す。非限定的な例として、カバー６６は、アンカー本体６４に連結されてもよく、係合スナップ６８によって一緒に保持されてもよい。係合スナップ６８は、係合スナップ開口部６８及び係合スナップ突起６８ｂを備え得る。非限定的な例として、図４Ａは、カバー６６内に形成され得る係合スナップ開口部６８ａを示し、係合スナップ突起６８ｂは、アンカー本体６４の一部として形成され得る。しかしながら、係合スナップ６８の部分は、係合スナップ開口部６８ａがアンカー本体６４内に形成されてもよく、係合スナップ突起６８ｂがカバー６６の一部として形成されてもよいように逆転してもよい。カバー６６は、アンカー本体６４に連結され、ＥＰＳ発泡体又はＥＰＳ発泡体ビーズ等の上部本体４０のエネルギー吸収材料４４が、ストラップ７０又はロッド７４の部分を受容するように構成されるストラップアンカー６０内の開口空洞若しくは空所に侵入すること、又は開口空洞若しくは空所内に配設されることを阻止することができる。
【００３５】
図４Ａ及び４Ｂに示されるように、ストラップアンカー６０は、図１に示されるウェブ１６と同様にストラップアンカーとヘルメット本体との間の補強取着点として使用されるウェブ又は補強部材を用いずに形成されてもよい。ウェブ１６又は類似のウェブ若しくは構造は、いくつかの理由により、ストラップアンカー６０から省かれてもよく、又はより小さく、若しくは縮小した寸法で形成されてもよい。第１に、ウェブ１６は、マルチボディヘルメットの外側シェル、例えば外側シェル４２又は外側シェル５２と直接接触させてストラップアンカー６０を連結又は設置することによって、除去又は排除され得る。ＰＣキャップ又は類似の構造等の外側シェルと直接接触させてストラップアンカー６０を設置することで、ストラップアンカー６０の強度を増大させることができ、外側シェルがウェブ１６等のウェブからの補強の代わりとなる補強を提供することを可能にする。第２に、ウェブ１６は、ストラップアンカー６０の位置付け、並びに上部本体４０及び下部本体５０等のマルチボディヘルメット３０の本体間のストラップ７０により、除去又は排除され得る。ストラップアンカー６０の位置付け、挟み込み、又は封入、並びに上部本体４０と下部本体５０との間のストラップ７０は、ストラップ７０を圧縮状態にして、ストラップ７０に沿ってストラップアンカー６０自体に加えられる張力又は力を低減することができ、それにより、ストラップアンカー６０に連結されるウェブの必要性を低減する。
【００３６】
ウェブを用いずにストラップアンカー６０を形成することによって、ストラップアンカーの寸法は、図１に示されるストラップアンカー１０等の従来のスキータイプのストラップアンカーと比べて縮小され得る。非限定的な例として、ストラップアンカー６０は、高さＨ、幅Ｗ３、及び深さＤを備えることができ、これらは一緒になって、ストラップアンカー１０等の従来のストラップアンカーの寸法又は体積よりも小さい寸法又は体積を備える製品をもたらす。一実施形態では、ストラップアンカー６０の高さＨは、１０〜３０ｍｍ若しくは１５〜２０ｍｍの範囲、又は約１７ｍｍであってもよく、ストラップアンカー６０の幅Ｗ３は、１０〜５０ｍｍ若しくは３５〜４５ｍｍの範囲、又は約３８ｍｍであってもよく、ストラップアンカー６０の深さＤは、２〜１０ｍｍ、４〜７ｍｍの範囲、又は約５ｍｍであってもよい。したがって、ストラップアンカー６０が占める総体積は、約６００〜１５，０００ｍｍ３の範囲であり得る。したがって、エネルギー吸収材料４４内等のマルチボディヘルメット３０内にストラップアンカー６０を埋め込むことは、ウェブ１６を備えるスキータイプのストラップアンカー１０等のスキータイプのストラップアンカーによって必要とされるであろう寸法、面積、又は体積より小さい寸法、面積、又は体積を必要とする。よって、ストラップアンカー６０の使用は、ストラップアンカー１０のような従来のストラップアンカーよりも汎用性があり、ストラップアンカー６０の低減した寸法、面積、又は体積は、ヘルメットの通気孔開口部又は他の設計制約を妨げることなく、ヘルメット内の設置オプション数の増加を可能にする。
【００３７】
図４Ｃ〜４Ｅは、ストラップ７０及びロッド７４をストラップアンカー６０に取着又は連結するプロセスにおける様々なステップを示す。第１に、図４Ｃは、ロッドがアンカー本体６４の開口部６２を通過する直前のストラップ７０のループ７２内に配設されるロッド７４の斜視図を示す。第２に、図４Ｄは、ロッド７４がストラップアンカー内に収容され、アンカー本体６４の幅Ｗ２が、ロッド７４がストラップアンカー６０から引き抜かれることを阻止できるようにロッド７４及びストラップ７０の一部が開口部６２を通過した後のストラップ７０及びロッド７４の斜視図を示す。
【００３８】
図４Ｅは、図４Ｃ及び４Ｄに示される図と同様のストラップアンカー６０の斜視図を示す。図４Ｅは、ストラップアンカー６０内に存在するロッド７４を示し、ストラップ７０は平らであり、下部本体部分５０を通過した後、使用者の頭部に連結される準備ができている。ストラップ７０は、上部本体４０と下部本体５０との間に存在する場合、上部本体４０と下部本体５０との間に挟まれ得る。図４Ｅは、ロッド７４を受容するためにストラップ７０の末端にループ７２を形成するためのストラップ７０のジグザグの縫い目７６の更なる詳細も提供する。当業者であれば理解するように、任意の種類の好適な縫合、製織、機械的、又は化学的取着が、ウェビングループ７２を形成するために使用され得る。同様に、任意の種類の好適な縫合、製織、機械的、又は化学的取着が、ウェビング７０を形成し、ストラップ７０をストラップアンカー６０に連結又は取着するためのループ７２又は他の望ましい構造を含むために使用され得る。
【００３９】
図５は、図４Ａ〜４Ｅでこれまでに示されたストラップアンカー６０の実施形態の断面側面図を示す。図５は、ストラップアンカー６０内に配設され、アンカー本体６４に連結されるカバー６６を有するロッド７４を示す。
【００４０】
図６は、図５でこれまでに示され、図２Ａに示される断面線６で示されるマルチボディヘルメット３０の部分内に配設されるストラップアンカー６０の断面側面図を示す。図６の断面図は、マルチボディヘルメット３０を通り、ストラップアンカー６０のうちの１つの中心を通って取られたものである。図６は、ストラップアンカー６０がどのようにストラップ７０に連結され得るかの詳細を示し、ストラップ７０は、上部本体４０と下部本体５０との間に配設されるか、又は挟まれる。図６は、マルチボディヘルメット３０内の複数の本体がどのように一緒になって、ストラップアンカー６０を挟んで支持し、使用者又は消費者からストラップアンカー６０を封鎖することができるかも示す。図６は、上部本体４０上の外側シェル４２等の１つ以上のシェルが内部本体の内面４６で形成され得る非限定的な例を更に示す。図６では、外側シェル５２は、外側シェル４２及び外側シェル５２が反対側に隣接して配設され得、ストラップ７０を挟むように下部本体５０の外面５３に形成されるように示される。
【００４１】
図６は更に、ストラップアンカー６０がどのようにマルチボディヘルメット３０に連結され得るかの非限定的な例を示す。図６では、上部本体４０の外側シェル４２は、ストラップアンカー６０の周りに配設される溝若しくはチャネル６１の内部に配設されるか、又はそこに存在して示される。図６に示されるように、ストラップアンカー６０の周りの溝６１は、外側シェル４２の開口部４３等のシェルの開口部内にストラップアンカー６０を載置するのに役立ち得る。限定することなく、外側シェル４２の開口部４３は、開口部４３を外側シェル４２内に穿孔し、溝６１を有するストラップアンカー６０を開口部４３に設置し、次いで、ストラップアンカー６０が外側シェル４２に連結されるようにストラップアンカー６０の周りにエネルギー吸収層４４をインモールド成形することによって形成され得る。外側シェル４２の開口部４３は、ストラップアンカー６０の寸法及び形状とほぼ同等又はそれよりも若干小さい特定の寸法及び形状で寸法決めされ得る。したがって、外側シェル４２は、ストラップアンカー６０を受容して、エネルギー吸収層４４が外側シェル４２に隣接して、かつストラップアンカー６０の周りに配設され得るように、その後のエネルギー吸収層４４の形成又は成形中にストラップアンカー６０を適所に保持することができる。
【００４２】
いくつかの実施形態では、マルチボディヘルメット３０内のストラップアンカー６０の形成は、スキータイプのストラップアンカー１０を従来のスキータイプのヘルメット内に形成するために使用される方法と同様の方法によって達成され得る。ストラップアンカー６０をマルチボディヘルメット３０内に載置するために使用される方法は、ＥＰＳプレスの一部であるＥＰＳツールの雄側の基部から突出する刃の上にストラップアンカー６０を載置することを含み得る。本明細書で使用される場合、ＥＰＳツール及びＥＰＳプレスに関する「ＥＰＳ」の使用は、例示的及び非限定的なものであり、したがって本明細書で企図される他の任意の好適なエネルギー吸収材料である。刃は、ストラップアンカー６０用の頑丈な載置具の役割を果たすことができ、同時に刃は、開口部６２がその後にウェブ７０、ロッド７４、又はそれらの両方を容易に受容できるように、ストラップアンカー６０内の開口部６２がエネルギー吸収材料で充填されることを退避又は阻止することもできる。成形後、ＥＰＳプレスが開いてもよく、ヘルメットは、ツールから、かつマルチボディヘルメット３０に存在するストラップアンカー６０を有するＥＰＳプレスの雌側から外され得る。いくつかの事例では、ストラップアンカー６０をＥＰＳプレスの雄側に載置することにより、ＥＰＳプレスが開放及び閉鎖するときに、刃の配向、その結果としてストラップアンカー６０の配向が、ＥＰＳプレスの引き抜き方向と整列することができる。ＥＰＳプレスの引き抜き方向に基づいてストラップアンカー６０の配向を決定することにより、ストラップアンカー６０の結果として生じる配向がストラップアンカー６０に連結されるストラップ７０を捻じれさせ得るが、それは、ＥＰＳプレスの好ましい整列がストラップ７０を使用者の顔面を横断して平置させるための好ましい整列とは異なるためである。
【００４３】
他の実施形態では、ストラップアンカー６０は、ＥＰＳ成形型の引き抜き方向の位置又は配向にかかわらず、ストラップアンカー６０を外側シェル４２等の外側シェルに対して任意の配向で載置することによって、マルチボディヘルメット３０内に形成され得る。そのようにすることにより、ストラップアンカー６０の位置及び配向は、加負荷又は期待加負荷に対して約９０度の相対角度で位置付けられるか、配置されるか、配向されるか、又は整列し得る。したがって、ストラップ７０は、ヘルメット３０を使用者の頭部に取り外し可能に連結することができ、同時にストラップ７０は、使用者の顔の上にフラッタを平置し、ストラップ７０の捻じれを低減又は最小化するように配向され得る。より具体的には、小さいウェブ、ウェブなし、小さい外形寸法、及び溝６１のうちの１つ以上を含むストラップアンカー６０の性質及び設計は、開口部４３が外側シェル４２のどこに形成されようと、ストラップアンカー６０が外側シェル４２に対して所望の位置で保持されることを可能にし得る。したがって、いくつかの実施形態では、ストラップアンカー６０は、ロッド７４が、ストラップ７０の所望の経路に対して垂直であるか、横断しているか、又は約９０度の相対角度である配向又は方向でストラップアンカー６０内に配設され得るように、マルチボディヘルメット３０内に位置付けられ得るか、又は整列し得る。そうすることにより、ロッド７４を有するストラップ７０をストラップアンカー６０に固定することで、マルチボディヘルメット３０を使用者の頭部に連結するために使用されるストラップ７０の捻じれは低減される。更に、上で示されるように、ストラップアンカー６０を上部本体４０の外側シェル４２等の外側シェルに取着することにより、ストラップアンカー６０の強度が改善され、ストラップアンカー６０の寸法の減少及びウェブ１６の除去又は省略が可能になる。
【００４４】
図６に示されるように、上部本体４０と下部本体５０との間のストラップ収納部５６は、ストラップが、ヘルメットの使用者の頭部、顔、若しくは顎と整合するか、又はそれらの周りに連結されるように、例えばストラップ開口部５５を通ってヘルメットから離れて延在する前に、ループ７２及びストラップ７０をマルチボディヘルメット３０内又は上部本体４０と下部本体５０との間に収納するのに十分大きく、かつ十分なずれを提供する。図６は、ストラップ開口部５５が下部本体５０内に形成される非限定的な例を示すが、ストラップ開口部５５は、上部本体４０内又は上部本体４０及び下部本体５０の両方内に形成されてもよい。
【００４５】
図６は、下部本体５０の内面５７に隣接する下部本体５０の内部に配設され得る任意の快適性ライナ又はフィットライナ９０の非限定的な例も示す。快適性ライナ９０は、織物、プラスチック、発泡体、ポリエステル、ナイロン、又は他の好適な材料から作製され得る。快適性ライナ９０は、一緒に接合され得るか、又はマルチボディヘルメット３０に連結される個別の構成要素として形成され得る材料の１つ以上のパッドから形成され得る。快適性ライナ９０は、接着剤、永久接着剤、ＰＳＡ、発泡体−コア接着剤、テープ、両面テープ、取り付け用発泡接着剤、ファスナー、クリップ、クリート、カットアウト、タブ、スナップ、リベット、ホッグリング、若しくは面ファスナー、又は他のインターロッキング面、特徴、若しくは部分を使用して下部本体５０等のマルチボディヘルメット３０に取り外し可能に又は永久に取着されてもよい。したがって、快適性ライナ９０は、インモールド成形ヘルメットの着用者にクッション及び改善されたフィットを提供することができる。
【００４６】
図７は、図２Ａに示されるマルチボディヘルメット３０の側面図と類似のマルチボディヘルメット３０の分解斜視図を示す。図７は、ストラップ７０に関連する詳細、並びにより小さい寸法のストラップアンカー６０及び隠された位置のストラップアンカー６０という利益を実現するために、上部本体４０及び下部本体５０を連結するためにストラップ７０を使用する方法を更に提供する。ストラップ７０をマルチボディヘルメット３０に連結する方法は、図６に関連して上で論じられるように、ストラップアンカー６０を外側シェル４２に連結することを含み得る。次いで、エネルギー吸収材料４４は、外側シェル４２に隣接して、かつストラップアンカー６０の周りに形成され得る。カバー６６は、ストラップアンカー６０の一部として含まれて、エネルギー吸収材料４４の形成中、例えば、インモールド成形プロセス中に、エネルギー吸収材料４４の一部がストラップアンカー６０内に入ることを阻止することができる。エネルギー吸収材料４４をストラップアンカー６０から締め出すことで、エネルギー吸収材料４４がストラップアンカー６０内へのロッド７４及びストラップ７０の後続の受容を妨げることを阻止する。エネルギー吸収層４４及び５４の形成後、ストラップ７０は、マルチボディヘルメット３０を一つにまとめるために、かつマルチボディヘルメット３０の使用者の頭部への取着を促進するために、上部本体４０及び下部本体５０に連結されてもよい。
【００４７】
ストラップ７０は、ストラップ７０にループ７２を形成し、かつ下部本体５０のストラップ開口部５５にそのループ７２を通過させることによって、上部本体４０及び下部本体５０に連結され得る。いくつかのストラップ開口部５５は、上部本体４０の内面４６に配設されるいくつかのストラップアンカー６０と一致し得るか、又は同一であり得る。同様に、ストラップ開口部５５の位置は、上部本体４０の内面４６に配設されるストラップアンカー６０と一致し、それらと整列し得る。例としてであって、制限するものではなく、ループ７２は、下部本体５０の内面５７から内面５７と反対側の下部本体５０の外面５８に通ることによって、一致するストラップ開口部５５を下部本体５０内から下部本体５０外に通すことができる。ループ７２の各々をストラップ開口部５５に通した後、いくつかのロッド７４は、ストラップ７０のループ７２の各々に通されてもよい。いくつかの事例では、ループ７２がストラップ開口部５５を通った後、ロッド７４が必ずループ７２内に設置されるように、ロッド７４の長さＬは、ストラップ開口部５５の長さ又は開口寸法を上回ってもよい。他の実施形態では、ループ７２がストラップ開口部５５を通る前又は通った後のいずれかの時点でロッド７４がループ７２内に設置され得るように、ロッド７４の長さＬは、ストラップ開口部５５の長さ又は開口寸法を下回ってもよい。ストラップ７０内のループ７２が下部本体５０内のストラップ開口部５５を通り、ロッド７４がループ７２内に挿入された後、ロッド７４は、図４Ａ〜４Ｅに示され、かつそれらに関連して記載されるように、ストラップアンカー６０の開口部６２内に配設され得る。
【００４８】
ストラップ７０をストラップアンカー６０に連結して、上部本体４０及び下部本体５０を接合することにより、ストラップ７０は徐々に引っ張られ、ストラップ７０の緩みを取り除き、張力を増加させ、上部本体４０及び下部本体５０を一緒に引き寄せて単一のマルチボディヘルメット３０を形成することができる。上部本体及び下部本体を一緒に引き寄せることにより、上部本体及び下部本体は、接着剤、永久接着剤、ＰＳＡ、発泡体−コア接着剤、テープ、両面テープ、取り付け用発泡接着剤、ファスナー、クリップ、クリート、カットアウト、タブ、スナップ、リベット、ホッグリング、若しくは面ファスナー、又は他のインターロッキング面、特徴、若しくは部分を含むが、これらに限定されない任意の好適な化学的若しくは機械的締結具、取着デバイス、又は物質を使用して、下部本体５０に連結又は接着されてもよい。そのようなインターロッキング特徴は、上部本体４０及び下部本体５０等の複数の本体間の望ましくない相対的運動を制限、阻止、又は制御することができる。いくつかの事例では、既定の剪断強度がインターロッキング特徴に組み込まれてもよく、既定のレベルの力で剪断又は機能停止する。非限定的な例として、マルチボディヘルメット３０は、上部本体４０及び下部本体５０を一緒に連結してマルチボディヘルメット３０を形成する助けとなるように、突起又はポップアウト８０及び８４、並びに窪み８２及び８６を備えてもよい。より具体的には、図７は、突起８０が図３の上部本体４０の内面４６上に示される窪み８６と嵌合可能に連結されるような寸法、形状、及び位置で突起８０が構成されるように、下部本体５０の外面５８上に形成されることを示す。図７は、窪み８２が図３の上部本体４０の内面４６上に示される突起８４と嵌合可能に連結されるような寸法、形状、及び位置で窪み８２が構成されるように、下部本体５０の外面５８上に形成され得ることも示す。突起８０及び８４並びに窪み８２及び８６のインターロッキング特徴は、マルチボディヘルメット３０の上部本体４０と下部本体５０との間のより強力な接続及びより良好な整列を促進する助けとなり得る。
【００４９】
図８Ａ及び８Ｂは、マルチボディヘルメットが完全に形成され、ストラップ７０を有する下部本体５０と一緒に連結された上部本体４０を備える場合のマルチボディヘルメット３０を着用している使用者の様々な図を示す。図８Ａは、使用者の顔面上に捻じれることなく平らに据えられたストラップ７０を用いて使用者の頭部に連結されるマルチボディヘルメット３０を有する使用者の側面図を示す。図８Ｂは、マルチボディヘルメット３０が使用者によって着用されたときのマルチボディヘルメット３０の後部及び左側部の斜視図を示す。
【００５０】
ストラップ７０による、かつ本明細書に記載される他の化学的及び機械的取着による上部本体４０の下部本体５０への取着又は連結は、マルチボディヘルメット３０にいくつかの利点を提供する。第１に、ストラップアンカー６０は、上部本体４０の下縁４８又は下部本体５０の下縁に配設される代わりに上部本体４０と下部本体５０との間に挟まれることによって、視界から隠されるか、又は見えなくすることができる。隠された位置のストラップアンカー６０は、使用者がストラップアンカー６０若しくはストラップ７０とストラップアンカー６０との間の接続に干渉するか、又は危害を加える危険性を低減、最小化、又は除外することができる。いくつかの実施形態では、使用者がストラップアンカー６０及びストラップ７０の取着又は連結に干渉できるようにするためには、ヘルメットが損傷又は破壊される必要があり、それはほとんどの使用者に、そのような干渉を続けることを思い留まらせるであろう。更に、ストラップの部分又はストラップアンカー６０及びストラップ７０を含むウェビングアンカーシステムを被覆することにより、ストラップ又はウェビングアンカーシステムは、ヘルメットの美観が改善され得るように視界に露出されない。ヘルメットの外側のストラップ又はウェビングアンカーシステムが一般に見苦しいと見なされるため、ヘルメットの美観は改善され得る。
【００５１】
第２に、上部本体４０及び下部本体５０等のマルチボディヘルメット３０の複数の本体は、ストラップアンカー６０に圧力を加え、それによりストラップアンカーをマルチボディヘルメット内の適所にしっかりと保持して、ストラップ７０をマルチボディヘルメット３０の本体に固定する助けとなるように、互いに隣接し、近接して整列し得る。
【００５２】
第３に、ストラップアンカー６０は、ウェブ、補強取着具、フィン、パラシュート、又はウェブ１６のようなアンカー形状を有しない軽量構造で形成されて、ストラップアンカー６０の寸法及び重量を低減することができ、マルチボディヘルメット３０の総重量を低減することもできる。マルチボディヘルメット３０及びストラップ７０に堅く連結された状態を保つのに十分な強度でストラップアンカー６０の最小設計を安全に生み出す能力は、少なくとも一部には、ストラップアンカー６０が複数のソースから受容する支持に起因し得る。第１に、ストラップアンカー６０は、ＰＣキャップ又は同様の構造等の外側シェルと直接接触している強度を受容することができる。第２に、ストラップアンカー６０は、上部本体４０と下部本体５０との間に挟まれていることによる強度を受容することができる。更に、ストラップアンカー６０の全体の輪郭を低減することにより、設計の制約が低減し、通気孔３１又はマルチボディヘルメット３０の他のヘルメット設計特徴若しくは要素を妨げるストラップアンカー６０の位置等のストラップアンカー６０の位置付けに関する懸念を生じることなく、ヘルメット設計の汎用性を増加させることができる。
【００５３】
第４に、ストラップアンカー６０は、使用者がマルチボディヘルメット３０を着用するときのストラップ７０の望ましくない捻じれの低減、最小化、又は排除に寄与する有利な配向で設置され得る。ストラップアンカー６０の有利な配向は、ストラップアンカー６０の外周に、かつストラップアンカー６０の主面と実質的に平行に、ストラップアンカー６０の上部本体５０の外側シェル４２の開口部４３内へのスナップ留めを可能にする溝６１を備えるストラップアンカー６０を形成することによって実現され得る。マルチボディヘルメット３０の関連利点は、ヘルメットの周りの通気及び風の動きに露出されるウェビングの低減、それによる風の中でのストラップ７０の動き、はためき、又はばたつきを低減させることによって得られる空気力学の改善を含み得る。ストラップ７０の動きの低減は、マルチボディヘルメット３０を着用している使用者への雑音及び刺激も低減することができる。
【００５４】
第５に、ストラップ７０は、上部本体４０及び下部本体５０等のマルチボディヘルメット３０の複数の本体間に延在し、それらによって適所に保持され得る。結果として、ストラップ７０は、ストラップ７０がマルチボディヘルメット３０の複数の本体間に挟まれるときに、ストラップ７０に圧縮力を加えることによってストラップ７０の長さに沿った張力が低減され得るように、マルチボディヘルメット３０の複数の本体間で所望の整列で捕捉又は固着され得る。
【００５５】
第６に、マルチボディヘルメット３０の複数の本体を一緒に繋ぎ止めるか、又は保持するために複数のヘルメット本体間に連続性を生み出す利点は、ストラップ７０を下部本体５０に通して、ストラップ７０を上部本体４０のストラップアンカー６０に連結することによって実現され得る。ストラップ７０を下部本体５０に通して、ストラップ７０を上部本体４０に固定することによって、ストラップアンカー６０は、下部本体５０及び上部本体４０が衝撃中に互いに分離することを阻止することができ、このようにして、衝突中のマルチボディヘルメット３０の完全性を増大させる。いくつかの実施形態では、マルチボディヘルメット３０の複数の本体に通され、それらに連結されたストラップ７０を有することにより、衝撃又は衝突は、ヘルメットが使用者の頭部から離れて引っ張られるか、又は押し付けられ、次に上部本体４０及び下部本体５０等のマルチボディヘルメットの複数の本体を一緒に引き寄せるときに、ストラップ７０の張力を増加させることができる。
【００５６】
第７に、ストラップアンカー６０は、改善されたストラップの骨格の役割を果たし、ヘルメットの機能及びヘルメットの美観を簡素化及び改善することができる。ストラップアンカー６０の改善は、構造強度を改善するためにストラップアンカーをヘルメットの外側シェル４２等の外側シェルに連結し、同時にストラップ７０の捻じれを低減させるように完成したマルチボディヘルメット３０に対して有利な位置でインモールド成形されることを含む。ストラップアンカー６０の有利な位置は、いったんヘルメットが組み立てられるとストラップアンカー６０を使用者の視線から隠すことも含み、ストラップアンカーに干渉する可能性を低減させる。ストラップアンカー６０の上述の改善及び利点は、ヘルメットの外側に見え、かつストラップ位置を犠牲にして成形懸念に対して設置される従来のストラップの骨格とは対照的であり得る。
【００５７】
上記の実施例、実施形態、及び実施態様は、例を示しているが、当業者であれば、他のヘルメット及び製造デバイス、及び実施例が、提供される他のものと組み合わされるか、又は置き換えられ得ることを理解すべきである。上記がヘルメット及びカスタマイズ方法の特定の実施形態を指す場合、その趣旨から逸脱することなくいくつの修正が加えられてもよく、これらの実施形態及び実施態様が他のヘルメットカスタマイズ技術にも同様に適用されてもよいことが容易に明らかとなるはずである。したがって、開示される主題は、本開示の趣旨及び範囲内である全てのそのような変更、修正、及び変形、並びに当業者の知識を包含するよう意図されている。
【図２Ａ】
2017507255.tif 000003
【図２Ｂ】
2017507255.tif 000004
【図３】
2017507255.tif 000005
【図４Ａ】
2017507255.tif 000006
【図４Ｂ】
2017507255.tif 000007
【図４Ｃ】
2017507255.tif 000008
【図４Ｄ】
2017507255.tif 000009
【図４Ｅ】
2017507255.tif 000010
【図５】
2017507255.tif 000011
【図６】
2017507255.tif 000012
【図７】
2017507255.tif 000013
【図８Ａ】
2017507255.tif 000014
【図８Ｂ】
2017507255.tif 000015
【図１】
2017507255.tif 000016
【国際調査報告】
2017507255.tif 000017